【手続補正書】
【提出日】平成22年10月18日(2010.10.18)
【手続補正１】
【補正対象書類名】特許請求の範囲
【補正対象項目名】全文
【補正方法】変更
【補正の内容】
【特許請求の範囲】
【請求項１】
充電エネルギーを提供するための装置であって、
正リード及び負リードを有する電源と、
直列の第１及び第２キャパシタ素子と、これらの間のセンタータップとを有する電荷蓄積部と、
前記正リードと前記負リードとの間にあり、前記第１キャパシタ素子及び前記センタータップを介して横断する第１充電パスと、前記第２キャパシタ素子及び前記センタータップを介して横断する第２充電パスと、
を備え、
前記電荷蓄積部は、前記第１及び第２充電パスをそれぞれ介して間接的に前記正及び負リードに接続されて、前記正及び負リードから前記電荷蓄積部を分離するようにし、
前記第１及び第２充電パスが、前記電源から前記第１及び第２キャパシタ素子の一方または同時に両方に流れる充電電流を「オン」に切り換え、又は「オフ」に切り換え、或いは調整するように制御可能であることを特徴とする装置。
【請求項２】
前記第１および第２充電パスは、任意の所与の時点でこれらの一方又は両方が閉状態或いは開状態であるように該開状態と閉状態とを切り換えるように制御可能であることを特徴とする請求項１に記載の装置。
【請求項３】
前記第１および第２充電パスは、これらの間の相互導電又はその過熱を回避するために、或いは前記電荷蓄積部の充電が実質的に完了したときに開状態に切り換えるように制御可能であることを特徴とする請求項２に記載の装置。
【請求項４】
前記第１および第２充電パスは、低電流レベルでの前記第１又は第２キャパシタ素子の放電を可能にするために閉状態に切り換えるように制御可能であることを特徴とする請求項２に記載の装置。
【請求項５】
前記第１および第２充電パスの各々は、前記第１及び第２キャパシタ素子とそれぞれ直列のスイッチのペアを含み、１つのスイッチは前記第１及び第２キャパシタ素子のそれぞれ一方の上流側に配置され、他方のスイッチは下流側に配置されることを特徴とする請求項１に記載の装置。
【請求項６】
前記第１および第２充電パスの各々は前記スイッチと直列にレジスタをさらに含むことを特徴とする請求項５に記載の装置。
【請求項７】
前記レジスタは、前記センタータップに取り付けられ、前記第１及び第２充電パスによって共有されることを特徴とする請求項６に記載の装置。
【請求項８】
前記第１および第２充電パスの各々は、前記第１及び第２キャパシタ素子とそれぞれ直列に結合された複数のデバイスを含み、少なくとも１つの前記デバイスは前記第１および第２キャパシタ素子のそれぞれ一方の上流側に配置され、１つは下流側に配置されることを特徴とする請求項１に記載の装置。
【請求項９】
前記第１および第２充電パスは、前記電荷蓄積部の充電状態に応じて、充電電流の連続的または段階的なアップ−ダウン調節を可能にするように制御可能であることを特徴とする請求項１に記載の装置。
【請求項１０】
負荷に充電エネルギーを提供するための装置であって、
負荷と、
正リード及び負リードを有する電源と、
直列の第１及び第２キャパシタ素子と、これらの間のセンタータップとを有し、充電エネルギーを受け取るように前記負荷が両端間に動作可能に結合される電荷蓄積部と、
前記正リードと前記負リードとの間にあり、前記第１キャパシタ素子及び前記センタータップを介して横断する第１充電パス及び前記センタータップを介して横断する第２充電パスと、
を備え、
前記電荷蓄積部は、前記第１及び第２充電パスをそれぞれ介して間接的に前記プラスおよびマイナスリードに接続されて、前記プラス及びマイナスリードから前記電荷蓄積部を分離し、前記電荷蓄積部が前記負荷に前記充電エネルギーを供給すると同時に前記電荷蓄積部を充電可能にするようにし、
前記第１および第２充電パスの各々は、充電電流を前記バッテリから前記第１又は第２キャパシタ素子の一方に別個に通すように適合されることを特徴とする装置。
【請求項１１】
前記負荷と直列にされ、前記負荷に流れる電流を制限するように適合された電流制限装置をさらに備えることを特徴とする請求項１０に記載の装置。
【請求項１２】
前記負荷と直列にされ、前記負荷に流れる電流を低下させて前記負荷が受け取る充電エネルギーを制限するように適合された電流シンクをさらに備えることを特徴とする請求項１０に記載の装置。
【請求項１３】
前記充電エネルギーは、電流パルスに対応するバースト電力、又は電流レベルに対応する連続電力を含むことを特徴とする請求項１０に記載の装置。
【請求項１４】
前記電流パルスは約２Ａであり、前記電流レベルは約２００ｍＡであることを特徴とする請求項１３に記載の装置。
【請求項１５】
充電エネルギーを制御可能に提供するための装置であって、
正リード及び負リードを有する電源と、
直列の第１及び第２キャパシタ素子と、これらの間のセンタータップとを有する電荷蓄積部と、
前記正リードと前記負リードとの間にあり、前記第１キャパシタ素子及び前記センタータップを介して横断する第１充電パスと、前記第２キャパシタ素子及び前記センタータップを介して横断する第２充電パスと、
を備え、
前記電荷蓄積部は、前記第１及び第２充電パスをそれぞれ介して間接的に前記プラスおよびマイナスリードに接続されて、前記プラス及びマイナスリードから前記電荷蓄積部を分離するようにし、
前記第１および第２充電パスは各々、開閉切り換え制御を提供するように適合されたスイッチ制御入力を有し、任意の所与の時点でこれらの一方又は両方が閉鎖されて、それぞれが充電電流を前記バッテリから前記第１又は第２キャパシタ素子の一方又は同時に両方に流すことができるようになることを特徴とする装置。
【請求項１６】
前記第１および第２充電パス各々のスイッチ制御入力をアサートするように適合された制御ループをさらに備えることを特徴とする請求項１５に記載の装置。
【請求項１７】
前記スイッチ制御入力に動作可能に結合された電圧レギュレータをさらに備えることを特徴とする請求項１５に記載の装置。
【請求項１８】
前記制御ループは、基準入力と充電状態のサンプルを受け取るように適合された充電感知入力とを有する制御装置を含み、前記制御装置は前記基準入力と前記充電電流サンプルとの間の比較に基づいて前記充電電流を制御するようにアクティブにされる出力をさらに含むことを特徴とする請求項１５に記載の装置。
【請求項１９】
前記制御ループは、前記第１及び第２充電パスの各々についてのサンプル電流入力と、前記第１又は第２充電パスの前記スイッチ制御入力に動作可能に結合されたスイッチ制御入力と、出力とを有するマルチプレクサを含み、前記マルチプレクサが、アサートまたはネゲートされたスイッチ制御に基づいて、前記第１又は第２充電パスからコンパレータの充電感知入力にサンプル電流を供給する前記第１及び第２充電パスについてのサンプル電流入力を切り換えるように適合されることを特徴とする請求項１８に記載の装置。
【請求項２０】
コンパレータと、前記コンパレータに応答し前記スイッチ制御入力をアサートするように適合された波源とを含む制御回路をさらに備えることを特徴とする請求項１９に記載の装置。
【請求項２１】
充電エネルギーを制御可能に提供するための装置であって、
正リード及び負リードを有する電源と、
直列の第１および第２キャパシタ素子と、これらの間のセンタータップとを有する電荷蓄積部と、
前記正リードと前記負リードとの間にあり、前記第１キャパシタ素子及び前記センタータップを介して横断する第１充電パスと、前記第２キャパシタ素子及び前記センタータッ
プを介して横断する第２充電パスと、
を備え、
前記第１及び第２充電パスは各々、電圧レギュレータに動作可能に結合され、充電電流制御を提供するように適合された入力を有し、
前記電荷蓄積部は、前記第１及び第２充電パスをそれぞれ介して間接的に前記正及び負リードに接続されて、前記プラス及びマイナスリードから前記電荷蓄積部を分離するようにすることを特徴とする装置。
【請求項２２】
前記第１および第２充電パスは、前記電源から前記第１及び第２キャパシタ素子の一方または同時に両方に流れるあらゆる充電電流を「オン」に切り換え、又は「オフ」に切り換え、或いは調整するように、前記充電パスのそれぞれの入力を介して制御可能であることを特徴とする請求項２１に記載の装置。
【請求項２３】
充電エネルギーを制御可能に提供するための方法であって、
電源を正及び負リードに接続するステップと、
直列の第１及び第２キャパシタ素子とこれらの間のセンタータップとを有する電荷蓄積部を設けるステップと、
前記正リードと前記負リードとの間にあり、前記第１キャパシタ素子及び前記センタータップを介して横断する第１充電パスと、前記第２キャパシタ素子及び前記センタータップを介して横断する前記第２充電パスとを設けるステップと、
前記電荷蓄積部を前記第１及び第２充電パスをそれぞれ介して間接的に前記プラス及びマイナスリードに接続して、前記プラス及びマイナスリードから前記電荷蓄積部を分離するようにするステップと、
前記電源から前記第１および第２キャパシタ素子の一方又は同時に両方に流れるあらゆる充電電流を「オン」に切り換え、又は「オフ」に切り換え、或いは調整するように前記第１および第２充電パスの各々を制御するステップと、
を含むことを特徴とする方法。
【請求項２４】
前記第１および第２充電パスの各々の充電状態を感知し、基準入力に基づいて、状態をアサートからネゲートに及びその逆に切り換えるかどうか、或いは前記第１及び第２充電パスの１つ又はそれ以上の制御入力をアップ−ダウン調節するかどうかを決定するステップをさらに含むことを特徴とする請求項２３に記載の方法。